(57)【特許請求の範囲】
【請求項１】
両側長さ面、両側幅面、上面及び底面を備え、上記上面及び底面の少なくとも一方が、内外に折り重ねられる一対の内フラップ及び外フラップによって形成される段ボール箱内に垂直に挿入される仕切り部材であって、次の構成を具備することを特徴とする段ボール箱用仕切部材。
（Ａ）  一対の仕切板から成ること。
（Ｂ）  上記両仕切板は、段ボール箱の両側長さ面間を横断する主部の両側に、両側長さ面の内側に接する一対の翼片部が直角に延設されて成ること。
（Ｃ）  上記両側翼片部は互いに同方向に延設され、一対のこの仕切板が、段ボールの片側ライナのみでつながったハーフ切断ラインを折り目として、主部同士が背中合わせとなるＨ字形の組立状態と、平板状の展開状態とに組立・展開自在に構成されていること。
（Ｄ）  上記両仕切板の主部と、この主部に連続する上記両側翼片部の根元側部分とに跨る領域が上記外フラップを支持する外フラップ支持部分、他の領域が上記内フラップを支持する内フラップ支持部分となること。
（Ｅ）  上記外フラップ支持部分の高さ方向両端部が上記内フラップ支持部分よりも外向きに突出して凸部が形成され、この凸部が、上記内外両フラップ間の段差を埋めて外フラップに接触するように構成されていること。
【発明の詳細な説明】
【０００１】
【発明の属する技術分野】
本発明は直方形でかつ上面及び底面の少なくとも一方が内外フラップで形成される段ボール箱内に垂直に挿入される仕切部材に関するものである。
【０００２】
【従来の技術】
ＪＩＳＺ１５０７の「０２０１形」に分類される最も一般的な段ボール箱（Ａ−１式ケースと称される）を例にとって従来の技術を説明する。
【０００３】
この段ボール箱は、図８〜図１０に示すように、両側長さ面１，１と、両側幅面２，２とによって筒状の本体Ａが構成され、この本体Ａの上下両側に設けられた一対の内フラップ３，３及び外フラップ４，４を内外に折り重ねて上面及び底面が構成される。
【０００４】
ここで、内フラップ３，３の長さ寸法ｆ１（図８中に示す）は、折り曲げ状態で互いの先端間が離間する大きさに、また外フラップ４，４の幅寸法ｆ２は折り曲げ状態で互いの先端が接する大きさにそれぞれ設定される。
【０００５】
この段ボール箱において、内容物が内部で乱雑に散らばったり衝突し合ったりしないように内容物を整然と分けて収納し、かつ、図１０中に矢印で示す上下方向の圧縮荷重Ｗに対して補強することを目的として仕切板が設けられる場合がある。
【０００６】
図では、主部６の両側に翼片部７，７が一体に設けられた一対のコの字形の仕切板５，５を用いる場合を例示している。
【０００７】
この両仕切板５，５は、互いの主部６，６が背中合わせに接して箱本体Ａの両側長さ面１，１間を横断し、かつ、両側翼片部２，２が両側長さ面１，１の内側に接する状態で箱本体Ａ内に垂直に挿入される。
【０００８】
従来、この仕切板５，５は、上下両端面が面一（高さ寸法が全体均一）となっており、この仕切板５，５により、本体Ａ内が左右に区画されるとともに、内外フラップ３，４が折り重ね状態で支持されて箱全体がとくに上下方向の圧縮荷重Ｗに対して補強される．
【０００９】
【発明が解決しようとする課題】
ところが、従来の仕切板５によると次のような欠点があった。
【００１０】
図１０に示すように、内外両フラップ３，４を閉じた状態で、内フラップ３は両翼片部７，７に接触して支持されるが、この内フラップ３と外フラップ４との間に段差ａが生じるため、外フラップ４と仕切板５，５との間にこの段差ａ分の隙間が生じ、この隙間が埋まるまで外フラップ４，４は仕切板５，５によって支持されない状態となる。
【００１１】
従って、上記隙間分の圧縮量までは、仕切板５，５の補強機能が殆ど働かず、箱だけで圧縮荷重Ｗを支えなければならないため、仕切板５，５による箱の圧縮強度向上という所期の目的が十分果たされなかった。このため、箱の圧縮変形量が大きくなり、内容物が損傷するおそれがあった。
【００１２】
そこで本発明は、上記内外フラップ間の段差を埋めて外フラップと仕切板との間の隙間を無くし、外フラップにかかる圧縮荷重を最初から支持して圧縮強度を高めることができる段ボール箱用仕切部材を提供するものである。
【００１３】
【課題を解決するための手段】
本発明は、両側長さ面、両側幅面、上面及び底面を備え、上記上面及び底面の少なくとも一方が、内外に折り重ねられる一対の内フラップ及び外フラップによって形成される段ボール箱内に垂直に挿入される仕切部材であって、次の構成を具備するものである。
【００１４】
（Ａ）  一対の仕切板から成ること。
【００１５】
（Ｂ）  上記両仕切板は、段ボール箱の両側長さ面間を横断する主部の両側に、両側長さ面の内側に接する一対の翼片部が直角に延設されて成ること。
【００１６】
（Ｃ）  上記両側翼片部は互いに同方向に延設され、一対のこの仕切板が、段ボールの片側ライナのみでつながったハーフ切断ラインを折り目として、主部同士が背中合わせとなるＨ字形の組立状態と、平板状の展開状態とに組立・展開自在に構成されていること。
【００１７】
（Ｄ）  上記両仕切板の主部と、この主部に連続する上記両側翼片部の根元側部分とに跨る領域が上記外フラップを支持する外フラップ支持部分、他の領域が上記内フラップを支持する内フラップ支持部分となること。
【００１８】
（Ｅ）  上記外フラップ支持部分の高さ方向両端部が上記内フラップ支持部分よりも外向きに突出して凸部が形成され、この凸部が、上記内外両フラップ間の段差を埋めて外フラップに接触するように構成されていること。
【００１９】
上記構成によると、仕切部材を箱内に挿入した状態で、凸部によって内外フラップ間の段差を埋めて外フラップと仕切部材との間の隙間を無くし、最初から仕切部材（凸部）によって外フラップを支持できるため、仕切部材本来の圧縮荷重に対する補強効果を高めて箱全体の圧縮強度を向上させることができる。
【００２０】
この場合、一枚の段ボールから二枚の仕切板を一体として作り、一体物（仕切部材）として箱内に設置するため、箱の組立作業性を向上させることができる。また、両仕切板の製作誤差や設置誤差が生じにくいため、両仕切板による圧縮荷重の支持作用が均等に行われ、圧縮強度の向上効果がより高いものとなる。
【００２１】
【発明の実施の形態】
本発明の実施形態を図１〜図７によって説明する。
【００２２】
以下の実施形態は、従来技術の説明に合わせてＪＩＳＺ１５０７の「０２０１形」の段ボール箱（Ａ−１式ケース）を適用対象として例にとっている。また、以下の実施形態において、段ボール箱そのものの構成は従来と同じであるため、図８〜図１０に示す部分と同一部分には同一符号を付して示し、その重複説明を省略する。
【００２３】
この実施形態にかかる仕切部材Ｂは、一対のコの字形の仕切板１１，１１を一体化して構成される。
【００２４】
両仕切板１１，１１は、図８，９に示す仕切板５，５と同様に、それぞれ主部１２の両側に翼片部１３，１３が互いに同方向に延設されてコの字形に形成され、図１〜図３に示すように、互いの主部１２，１２が背中合わせに接して箱本体Ａの両側長さ面１，１間を横断し、かつ、両側翼片部１３，１３が両側長さ面１，１の内側に接するＨ字形の状態で箱本体Ａ内に垂直に挿入される。
【００２５】
この仕切部材Ｂ（両仕切板１１，１１）は、図４〜図６に示すように一枚の長方形の段ボールを裁断して製作され、互いの主部１２，１２が段ボールの片側ライナのみでつながったハーフ切断ラインＬを折り目として、図１〜図３に示すように主部１２，１２同士が背中合わせとなるＨ字形の組立状態と、図４に示す平板状の展開状態とに組立・展開自在に構成されている。
【００２６】
この両仕切板１１，１１は、それぞれ主部１２と、この主部１２に連続する両側翼片部部１３，１３の根元側部分とに跨る領域が外フラップ４，４を支持する外フラップ支持部分Ｓ１（図４参照）、残りの両側翼片部部１３，１３の端部側領域が内フラップ３，３を支持する内フラップ支持部分Ｓ２となっている。
【００２７】
ここで、上記外フラップ支持部分Ｓ１の高さ方向両端部が、内フラップ支持部分Ｓ２よりも、外フラップ４（箱の材料となる段ボール）の厚み分だけ外向きに突出して凸部１４が形成され、図７に示すように、この仕切部材Ｂを箱内に挿入した状態で凸部１４が内外フラップ３，４間の段差ａを埋めて外フラップ４に接触するようになっている。
【００２８】
従って、この仕切部材Ｂを用いることにより、図７に示すように最初（圧縮荷重Ｗが作用する前）から凸部１４によって外フラップ４を支持できるため、圧縮荷重Ｗに対して、従来生じていた隙間分の箱の変形を防止し、箱全体の圧縮強度を高めることができる。
【００２９】
表１に、この仕切部材Ｂによる補強効果を確認するために発明者人が行った梱包圧縮強度テストの結果を示す。
【００３０】
テストは、図８〜図１０に示す従来の一対の仕切板５，５と、実施形態にかかる仕切部材Ｂを用い、両者同じ材質で、段ボール箱の材質は、仕切部材Ｂが適用される箱について従来品が使用される箱よりも強度の低いものを用いて行った。
【００３１】
【表１】
0004015834.tif 000002
【００３２】
上表から明らかなように、段ボール箱の材質をダウンさせても大幅に梱包圧縮強度をアップさせることができた。このため、箱の圧縮量を小さくして内容物を確実に保護することができる。
【００３３】
また、一対の仕切板１１，１１を一体化し、一体物として箱内に設置するため、箱の組立作業性を向上させることができるとともに、両仕切板１１，１１の製作誤差や設置誤差が生じにくいため、両仕切板１１，１１による圧縮荷重の支持作用が均等に行われ、圧縮強度の向上効果がより高いものとなる。
【００３４】
ところで、上記実施形態では、上面及び下面の双方が内外フラップで形成される段ボール箱（ＪＩＳ  Ｚ１５０７の「０２０１形」）を適用対象として例示したが、本発明は上面及び底面の少なくとも一方が上記実施形態同様の内外フラップで形成される段ボール箱に広く適用することができる。
【００３５】
【発明の効果】
上記のように本発明によると、仕切部材を箱内に挿入した状態で、凸部によって内外フラップ間の段差を埋めて外フラップと仕切板との間の隙間を無くし、最初から凸部によって外フラップを支持できるため、仕切部材本来の圧縮荷重に対する補強効果を高めて箱全体の圧縮強度を大幅に向上させることができる。このため、箱の圧縮変形を抑え、内容物を確実に保護することができる。
【図面の簡単な説明】
【図１】  本発明の第１実施形態にかかる仕切部材を箱内に挿入する前の状態を示す斜視図ある。
【図２】  同仕切部材を箱内に挿入した状態の斜視図である。
【図３】  図２の状態から内フラップを閉じた状態の斜視図である。
【図４】  同仕切部材を展開した拡大斜視図である。
【図５】  同仕切部材を組立てる途中の状態の拡大斜視図である。
【図６】  図４のＶＩ−ＶＩ線拡大断面図である。
【図７】  第１実施形態において内外両フラップを閉じた状態の部分拡大断面図である。
【図８】  従来の仕切板を箱内に挿入する前の状態を示す斜視図である。
【図９】  同仕切板を箱内に挿入した状態の斜視図である。
【図１０】  図９の状態から内外両フラップを閉じた状態の部分拡大断面図である。
【符号の説明】
１  段ボール箱の長さ面
２  同幅面
３，３  内フラップ
４，４  外フラップ
Ｂ  仕切部材
１１，１１  仕切板
１２  主部
１３，１３  両側翼片部部
Ｌ  ハーフ切断ライン
Ｓ１  内フラップ支持部分
Ｓ２  外フラップ支持部分
１４  凸部
【図１】
0004015834.tif 000003
【図２】
0004015834.tif 000004
【図３】
0004015834.tif 000005
【図４】
0004015834.tif 000006
【図５】
0004015834.tif 000007
【図６】
0004015834.tif 000008
【図７】
0004015834.tif 000009
【図８】
0004015834.tif 000010
【図９】
0004015834.tif 000011
【図１０】
0004015834.tif 000012